(57)【要約】【課題】アンプの故障やスピーカ配線の切断等があった場合に警報音を発することができる遊技機を簡単な構成で実現する。【解決手段】遊技機の音声基板１２には、遊技用の音を発音するためのスピーカを駆動するアンプ３３と、警報音を発音するためのスピーカ３４が設けられている。そして、アンプ３３が故障した時、または、スピーカ配線が切断された時、音源ＬＳＩ３１がスピーカ３４へ警報音信号を出力し、警報音を発生させる。【選択図】図１
2010273720.tif 000002
【特許請求の範囲】
【請求項１】
複数のスピーカと、
前記複数のスピーカのうち少なくとも１つのスピーカから発音できない異常を検知する検知手段と、
前記検知手段が前記異常を検知した場合に、当該異常にかかるスピーカ以外の報知手段から警報を発音するよう制御する制御手段と、
を具備することを特徴とする遊技機。
【請求項２】
音声信号を生成する音源回路と、
前記音源回路からの音声信号を増幅して前記複数のスピーカへ出力するアンプと、
前記音源回路に電気的に直接接続された前記報知手段と、を備え、
前記制御手段は、前記検知手段が前記異常を検知した場合に、前記音源回路が前記音源回路に電気的に直接接続された前記報知手段に矩形波を出力することにより警報音を発音させる
ことを特徴とする請求項１に記載の遊技機。
【発明の詳細な説明】
【技術分野】
【０００１】
本発明は、パチンコ機等の遊技機に関する。
【背景技術】
【０００２】
パチンコ機等の遊技機においては、悪意の遊技者が前面の扉を開錠して不正行為を働くことがある。このような不正行為を防止するため、前面の扉が開錠された場合に、スピーカから「ドアが開いています」という警報音を発するように構成された遊技機が開発されている。しかしながら、スピーカアンプが故障したり、あるいは、スピーカ配線が切断されたりした場合にはこの警報音を発することができず、遊技者の不正を検知することができない。そこで、特許文献１に記載された遊技機では、スピーカが破壊されたことを検知した場合に、台間通信を使用して他の遊技機へ信号を送り、他の遊技機から警報音を発するようにしている。
【先行技術文献】
【特許文献】
【０００３】
【特許文献１】特開２００９−４５３７２号公報
【発明の概要】
【発明が解決しようとする課題】
【０００４】
しかしながら、特許文献１のように他の遊技機から警報音を発する方式では、台間通信をするために構成が複雑になり、遊技機のコストが高くなってしまう問題がある。
【０００５】
本発明は、このような事情に鑑みてなされたものであり、その目的は、アンプの故障やスピーカ配線の切断等があった場合に自ら警報音を発することができる遊技機を簡単な構成で実現することにある。
【課題を解決するための手段】
【０００６】
本発明は、複数のスピーカと、前記複数のスピーカのうち少なくとも１つのスピーカから発音できない異常を検知する検知手段と、前記検知手段が前記異常を検知した場合に、当該異常にかかるスピーカ以外の報知手段から警報を発音するよう制御する制御手段と、を具備することを特徴とする遊技機である。
また、本発明は、上記遊技機において、音声信号を生成する音源回路と、前記音源回路からの音声信号を増幅して前記複数のスピーカへ出力するアンプと、前記音源回路に電気的に直接接続された前記報知手段と、を備え、前記制御手段は、前記検知手段が前記異常を検知した場合に、前記音源回路が前記音源回路に電気的に直接接続された前記報知手段に矩形波を出力することにより警報音を発音させることを特徴とする。
【発明の効果】
【０００７】
本発明によれば、複数のスピーカのうち少なくとも１つのスピーカから発音できない異常を検知した場合に、当該異常にかかるスピーカ以外のスピーカから警報を発音するよう制御するので、アンプの故障やスピーカ配線の切断等があった場合に警報音を発する遊技機を簡単な構成で実現することができる。
【図面の簡単な説明】
【０００８】
【図１】本発明の第１及び第２の実施形態による遊技機の音声基板の構成を示すブロック図である。
【図２】同遊技機の正面図である。
【図３】同遊技機の裏面図である。
【図４】本発明の第３の実施形態による遊技機の音声基板の構成を示すブロック図である。
【発明を実施するための形態】
【０００９】
以下、図面を参照して本発明の実施形態について説明する。
図１〜図３は本発明の第１の実施形態による遊技機（パチンコ機）の構成を示す図である。図２は遊技機の正面図であり、この図において、遊技機は、その正面左上部、右上部、左下部にそれぞれスピーカ１〜３が取り付けられており、また、正面中央部及び正面下部に遊技装置４と弾球ハンドル５が備えられている。図３は遊技機の裏面図であり、この図において、遊技機は、遊技装置４に表示される映像信号を生成する映像基板１１、スピーカ１〜３と配線によって接続され、これらスピーカを駆動する音声信号を生成する音声基板１２、遊技機の各部を制御する主基板１３、賞球を制御する賞球基板１４、パイロットランプ（図示略）の点灯／消灯を制御するランプ基板１５、弾球ハンドル５を駆動制御する弾球装置１６を備えている。音声基板１２は、アンプ３３（後述）の正常時には、遊技装置４において使用する音声信号を生成してスピーカ１〜３へ出力するとともに、前面の扉が開錠された場合に、例えば「扉が開いています」という警報音信号を生成してスピーカ１〜３へ出力する。
【００１０】
図１は音声基板１２の構成を示すブロック図であり、この図において、音声基板１２は、制御用ＣＰＵ（中央処理装置）３０、各種音源データを記憶している音源用ＲＯＭ（リードオンリメモリ）３２、音源用ＲＯＭ３２内の音源データを使用して音声信号を生成する音源ＬＳＩ（大規模集積回路）３１、音源ＬＳＩ３１から出力される音声信号を増幅してスピーカ１〜３を駆動するアンプ３３、音源ＬＳＩ３１の汎用ポートに入力端子が直接接続されたスピーカ３４を備えている。スピーカ３４は音声基板１２に直接取り付けられている。
【００１１】
次に、上記構成による遊技機の、アンプ３３の異常時における動作を説明する。
いま、何らかの原因でアンプ３３が異常な動作状態（例えば異常発熱等）になると、アンプ３３から異常を示す信号が音源ＬＳＩ３１へ出力される。音源ＬＳＩ３１はその信号を受け、汎用ポートから可聴帯域周波数の矩形波信号をスピーカ３４へ出力する。あるいは、音源ＬＳＩ３１は、アンプ３３から正常であることを示す信号が出力されなくなったことをもってアンプ３３が異常であると判断し、矩形波信号を出力してもよい。これにより、スピーカ３４からアンプ３３の異常を知らせる警報音が発生する。音源ＬＳＩ３１の汎用ポートとスピーカ３４の間にはアンプが介在しないので、故障の可能性が少ない。そのため、確実に警報音を発生することが可能となる。
【００１２】
このように、上記第１の実施形態によれば、アンプ３３が異常状態となった場合に警報音が発生するので、アンプの異常によって、悪意の遊技者による不正行為の発見が遅れるという問題を防止することができる。
【００１３】
次に、本発明の第２の実施形態による遊技機について説明する。第２の実施形態による遊技機のブロック構成は、上述した第１の実施形態による遊技機と同じである。第２の実施形態が第１の実施形態と異なる点は、アンプ３３の構成である。以下、第２の実施形態によるアンプをアンプ３３ａとする。アンプ３３ａは、音源ＬＳＩ３１から出力される音声信号を増幅してスピーカ１〜３を駆動する。また、アンプ３３ａは、スピーカ１〜３のいずれかの配線が断線し、あるいはスピーカ１〜３のいずれかが故障したことを検知し、断線または故障を示す信号を音源ＬＳＩ３１へ出力する。音源ＬＳＩ３１はその信号を受け、汎用ポートから矩形波信号をスピーカ３４へ出力する。これにより、スピーカ３４からスピーカ１〜３の故障または断線を知らせる警報音が発生する。
【００１４】
このように、上記第２の実施形態によれば、スピーカが故障した場合、あるいはスピーカ配線が悪意の遊技者によって切断された場合に、スピーカ３４から警報音を発生することができる。したがって、悪意の遊技者が遊技機の裏面にある全てのスピーカの配線を切断した場合においても、警報音を発生することができる。なお、音声基板１２のケースは、通常、強固なプラスチック製であり、安易に破壊または開封されることはないものとする。
【００１５】
次に、本発明の第３の実施形態による遊技機について説明する。この第３の実施形態による遊技機の構成は、音声基板を除き、第１及び第２の実施形態と同様である。図４は、第３の実施形態における音声基板１２ａの構成を示すブロック図である。
【００１６】
図４において、音声基板１２ａは、制御用ＣＰＵ４０、各種音源データを記憶している音源用ＲＯＭ４２、音源用ＲＯＭ４２内の音源データを使用して音声信号を生成する音源ＬＳＩ４１、音源ＬＳＩ４１から出力される音声信号を増幅してスピーカ１〜３を駆動するアンプ４３を備えている。
ここで、アンプ４３は、スピーカ１〜３のいずれかの配線が切断されたことを検知し、配線の切断が検知されたスピーカの番号を音源ＬＳＩ４１へ通知する。音源ＬＳＩ４１はその通知を受け、警報音信号を生成し、アンプ４３を介して配線が切断されていないスピーカ（スピーカ１〜３のいずれか）へ出力する。これにより、悪意の遊技者がスピーカ配線のいずれかを切断した場合に、配線が切断されていないスピーカから警報音を発することが可能となる。
【００１７】
なお、上記各実施形態の機能を複数含む遊技機を構成することも勿論可能である。例えば、第１及び第２の実施形態の機能をともに含む遊技機として、次のような遊技機の構成としてもよい。すなわち、図１において、アンプ３３はアンプ自体が故障した時だけでなく、アンプ３３に接続されたスピーカ１〜３の配線が切断された時も信号を音源ＬＳＩ３１へ出力する。音源ＬＳＩ３１はアンプ３３からの信号を受け、矩形波信号をスピーカ３４へ出力する。これにより、アンプ３３が故障した時だけでなく、スピーカ配線が切断された時もスピーカ３４から警報音が発生する。この場合、アンプ３３は、アンプ異常時に出力する矩形波とスピーカの配線断線時又はスピーカの故障時に出力する矩形波の形状を異ならせることで、どこで異常が発生しているか判別できるようにしてもよい。
また、スピーカ３４の代わりに、矩形波信号を入力すると振動する振動体を用いてもよい。そして、その振動体が、近接して設けられた金属板などを振動させることにより、警報音として音を発生するようにしてもよい。この場合において、金属板は例えば基板に別途設けてもよいし、遊技機の枠体を用いてもよい。
【００１８】
以上、この発明の実施形態について図面を参照して詳述してきたが、具体的な構成はこの実施形態に限られるものではなく、この発明の要旨を逸脱しない範囲の設計等も含まれる。
【符号の説明】
【００１９】
１〜３，３４…スピーカ  １２，１２ａ…音声基板  ３１，４１…音源ＬＳＩ  ３３，４３…アンプ
【図１】
2010273720.tif 000003
【図２】
2010273720.tif 000004
【図３】
2010273720.tif 000005
【図４】
2010273720.tif 000006